(57)【要約】【課題】使用者の顔に適合し、天然鉱石、セラミック、磁石などの天然石から発生する微量放射線、遠赤外線、マイナスイオンから肌を養生、活性化させるマスク。【解決手段】人の顔の形状に合わせて９つに整形され縫製された、鼻及び口部分に開口部を持ち顔面を被覆する美顔マスクにおいて、マスク生地に天然鉱石、セラミックス、磁石などを備える。また、マスクは２種類からなり、取り外し可能になり、洗浄が楽に行える。【選択図】図７
2007307324.tif 000002
【特許請求の範囲】
【請求項１】
人の顔にかぶせて保温発汗を促し、美顔、美肌、美顔痩身に用いるマスクにおいて、加温によって微量放射線、遠赤外線、マイナスイオンを発生する天然鉱物、セラミックス、磁石などを備え縫製したことを、特徴とするマスク。
【請求項２】
前記マスクは、顔面の形状に合わせ、縫製されているマスク。
【請求項３】
上記マスク生地が２種類からなり、取り外し可能になる請求項１に記載の美顔マスク。
【請求項４】
前記マスク生地がアミノ酸と酸化チタン系光触媒のいずれか、もしくは両方を含有する請求項から請求項３のいずれかに記載の美顔マスク。
【請求項５】
前記マスク生地が発熱体を備える請求項１から請求項３のいずれかに記載の美顔マスク。
【発明の詳細な説明】
【技術分野】
【０００１】本発明は、入浴の時など、顔にかぶせて発汗を促すなどして、美顔、美肌、美顔痩身に利用する顔面マスクに関するものである。
【背景技術】
【０００２】近年のエステブームにより、顔面に装着する種々の美顔マスクが開発されている。又、美顔の目的で蒸しタオルを顔にかぶせて暖め肌を潤し、遠赤外線を発生する泥や鉱石パウダーを顔に塗ったりし、肌を暖め、細胞を活性化するなどが行われている。
例えば特許文献１には、プラスチック系、耐熱ゴムの樹脂に天然鉱石あるいはセラミックのパウダーを練りこんだ美顔マスクが開示されている。これは上記パウダーが発生する遠赤外線により、顔面の血行を促進し、美顔を保つことを目的としている。【０００３】また、種々の電気的な又は、機械的な美顔マスクも開発されている。特許文献２には、頬に当たる部分にエアバッグを収容した美顔装置が開示されている。これはこのエアバッグにコンプレッサから空気を送ることにより、顔面のマッサージを行う装置である。【０００４】このように、マッサージ効果を得る方法として、特許文献２に記載されているような低周波の電気パルスを通電する方式も使用されている。
【特許文献１】特開２００１−１４５５２０号公報
【特許文献２】特開２００２−１５９３４０号公報
【発明の開示】
【発明が解決しようとする課題】
【０００５】従来の美顔痩身の目的で入浴時などに、遠赤外線を発生する泥又は、鉱石パウダーを顔に塗る等の方法も採られるが、この場合は自分自身で顔に塗って用いることは容易ではない。
上記文献１のようにプラスチック、ゴムなどの樹脂自体にセラミック、鉱石パウダーなどを練りこむには限界があり、鉱石の持つ遠赤外線の効果を十分に得ることができない。これらの課題を解決して、自分自身で容易に扱い得て、遠赤外線を発生させ、肌を養生、活性化する顔面用のマスクを供することを目的としたものである。【０００６】上述のように顔面をプラスチック又は、ゴムなどの樹脂で顔面を覆うことで、息苦しくなり、又、皮膚呼吸を妨げてしまうので皮膚をふやかし、肌の色素沈着、シワを発生しやすくしてしまうことがある。【０００７】上述のように顔面をマッサージすることは美顔の上で効果があるが、上記特許文献２に開示されている技術では、エアバッグがかさばる上に顔面に装着した際に重たいという欠点がある。また、マッサージできる部分が頬に限られる上、あらかじめ形状が決まっているので必ずしも各使用者の顔の形状に適合しない。さらにはコンプレッサの音がうるさいというところも短所といえる。【０００８】また、上述のような電気パルスを使用する方式は、マッサージを行いたい部位の皮膚表面に高分子ゲルなどの粘着パッドを介して電極を面接触させ、皮膚に低周波の電気パルスを伝達する。この場合、皮膚の奥深く（皮下組織）まで強い刺激が浸透し、長時間の使用により皮膚に炎症を引き起こすことがあった。【０００９】上記特許文献２には、上記構成に加えて、振動モータを備える構成が開示されているが、シワ取りやシミ取り等の美顔に対しては何ら配慮がされていない。【００１０】本発明はこのような観点からなされたものであって、各使用者の顔の形状に適合し、マスクの生地と生地の間に天然鉱石、セラミックボール、磁石などをそのまま挟み込み、それらの発する微量放射線、遠赤外線、マイナスイオンが発せられ、安全かつ装着しやすい美顔マスクを提供することを目的とする。【００１１】また、微量放射線、遠赤外線、マイナスイオン作用により美顔及び美肌の効果を促進することが可能な美顔マスク、を目的とする。
【課題を解決するための手段】
【００１２】以上の目的を達成するために、本発明では次のような手段を採用している。【００１３】まず、鼻、口部分に開口部を持ち顔面を被覆する美顔マスクにおいて、マスク生地を表面裏面の間に天然鉱石、セラミックボール、磁石などを備え、縫製する。それらは、使用者が顔面に備えることとし、これにより使用者のニーズに応じた美顔及び美肌効果が可能となる。【００１４】また、マスク生地を２種類にし、マスク１とマスク２とし、マスク１は顔面の形状に合わせた形に縫製し、マスク２には表面裏面の間に天然鉱石、セラミック、磁石などを備え挟み込み縫製し、マスク１とマスク２がボタン又は、マジックテープなどのストッパーで取り外し可能にすることにより、洗浄が楽に行なえる。【００１５】天然鉱石、セラミックなどの作用により、皮膚表面の水分からマイナスイオンが発生し、リラックスする効果をあげることができる。なお、マイナスイオンを発生する観点では、マスク生地の中にトルマリン鉱石を含有させても良い。【００１６】さらに、天然鉱石から発せられる微量放射線によりホルミシス効果（微量放射線による細胞活性化効果）をあげることができる。なお、ホルミシス効果を発生する観点では、マスク生地の中にラジウム鉱石を含有させても良い。【００１７】さらに、上記マスク地が、しわ、シミを減少させる等の美肌作用を有するアミノ酸や、マイナスイオン発生作用、遠赤外線放射作用、及び老廃物等を分解する作用等を有する酸化チタン系光触媒を含有する構成とすれば、美顔効果をより高めることができる。【００１８】加えて、上記マスク地が発熱体を備える構成とすれば、毛穴を開くとともに、顔面に発汗させることができ、美顔効果をさらに高めることができる。
【発明の効果】
【００１９】本発明によれば、各使用者の顔の形状に適合し、天然鉱石、セラミックボール、磁石などをパウダー状にすることなく美顔、美肌、美顔痩身を目的とする美顔マスクを提供することができる。【００２０】また、顔面に適合する形状のマスク生地に代えて、シート状のシート生地を作り、構成すれば、体の任意の部分の形状に適合する美容器具として適用することが可能ある。【００２１】さらに、上記マスク生地１と天然鉱石の入るマスク生地２を取り外し可能にし、生地の材質をそれぞれ変えることにより、天然鉱石等が発生する放射性物質を効率よく皮膚に伝えることが可能となる。【００２２】また、マスク生地１とマスク生地２を取り外し可能にすることにより、洗濯が楽に行なえるようになる。【００２３】加えて、上記マスク生地がアミノ酸や酸化チタン系光触媒を含有する、あるいは、水分により発熱する発熱体を備える構成とすれば、美顔（美肌）上の効果を促進することができる。
【発明を実施するための最良の形態】
【００２４】以下、本発明の実施の形態について、図面を参照しながら詳細に説明する。【００２５】図１は本発明の実施の形態における美顔マスクの正面図であり、１−１はマスク生地１の部分である。また、１−３はマスク生地１における鼻、口部分の開口部である。【００２６】図２はこの美顔マスクの図１における裏図である。２−１はマスク生地２の部分である。２−２は使用後に吊し干すための紐などである。２−３は天然鉱石、セラミック、磁石などである。２−４はマスク生地２の鼻、口部分の開口部である。１−２ａは装着時、後頭部で止めるためのボタン又は、マジックテープなどのストッパーである。【００２７】図２のＡからＩは、顔面の各部位に当たるように縫製したものである。また、天然鉱石、セラミック、磁石などが下部に落ちることを防いでいるものである。【００２８】図３は、図２のＡ〜Ｉ部分の顔面に当たる部分である。【００２９】図４は図２の断面図である。１−３ａ、１−３ｂはボタン、マジックテープなどのストッパーである。【００３０】図５は、マスク生地１の裏面である。【００３１】図６は、マスク生地２の裏面である。【００３２】図７は、マスク装着図である。【００３３】まず、図２、図４、図６より２−１の部分を顔面に合わせて鼻、口部分は空けて９つのエリアに分ける（図２、図３のＡからＩの部分）。【００３４】次に、上記マスクエリアＡからＩの部分に天然鉱石、セラミック、磁石などを入れ縫製する。図１、２では穴部分（図１、１−３参照）は１箇所だが、これは一例であって、必要な部位に必要な部分に穴を配設する。【００３５】次に図２の１−１の部分を縫製する。【００３６】上記より、１−１と２−１はボタン又は、マジックテープにより１−３ａと１−３ｂ部分で取り外し可能とするように縫製をする。【００３７】取り外し可能にすることにより、洗濯が別々で行なえ、便利になる。【００３８】なお、上記マスク地及びシート生地の材質は、特に限定されるものではないが、皮膚に優しい自然生地を使用することが好ましい。
【図面の簡単な説明】
【００３９】
【図１】マスク正面から見た図。
【図２】マスク裏面から見た図。
【図３】顔面にマスクが当たる部分の図。
【図４】マスク断面図。
【図５】マスク１の裏面から見た図。
【図６】マスク２の裏面から見た図。
【図７】顔面に装着したときの図。
【符号の説明】
【００４０】１−１
マスク１を表す。
１−２ａ
マスクを顔面、後の後頭部で固定する為のボタン、マッジクテープなどのストッパーを表す。
１−３
マスク１の鼻、口の開口部分を表す。
１−３ａ
マスク２を留める為のボタン、マジックテープなどのストッパーを表す。
１−３ｂ
マスク１を留める為のボタン、マジックテープなどのストッパーを表す。
２−１
マスク２を表す。
２−２
紐を表す。
２−３
天然鉱石、セラミックス、磁石などを表す。
２−４
マスク２の鼻、口の開口部分を表す。
Ａ
顔面上部左側にマスクが当たる部分。
Ｂ
顔面上部中央にマスクが当たる部分。
Ｃ
顔面上部右側にマスクが当たる部分。
Ｄ
顔面中段部左側にマスクが当たる部分。
Ｅ
顔面中段部中央にマスクが当たる部分。
Ｆ
顔面中段部右側にマスクが当たる部分。
Ｇ
顔面下部左側にマスクが当たる部分。
Ｈ
顔面下部中央にマスクが当たる部分。
Ｉ
顔面下部右側にマスクが当たる部分。
【図１】
2007307324.tif 000003
【図２】
2007307324.tif 000004
【図３】
2007307324.tif 000005
【図４】
2007307324.tif 000006
【図５】
2007307324.tif 000007
【図６】
2007307324.tif 000008
【図７】
2007307324.tif 000009